(57)【特許請求の範囲】
【請求項１】
筒体状通路を滑降又はカートで走行する遊戯装置において、一方向に向けて発散光を発散する発光装置を前記筒体状通路の外側に設置し、該発光装置からの発散光を前記筒体状通路内に導入する投入口を該筒体状通路の上部に形成し、上記発光装置からの発散光を受けて、上記筒体状通路内における遊戯者の進入方向と進出方向のいずれか一方の所定方向に向けて発散させる反射光とそのまま透過させる透過光とに分散させるフィルターを上記投入口の近傍に配置し、上記遊戯者の進入方向と進出方向のいずれか一方向に発散した上記フィルターの反射光に対して対称方向となるように、上記遊戯者の進入方向と進出方向のいずれか他方の方向に向けて、上記フィルターの透過光を反射させるミラーを上記フィルターの後方に設けたことを特徴とする遊戯装置。
【請求項２】
上記発光装置に模様付フィルターを設け、上記筒体状通路内の内壁面に反射光と透過光の二方向の光の模様を投影するように形成したことを特徴とする請求項１記載の遊戯装置。
【請求項３】
上記反射光と透過光の二方向の光を受ける煙を筒体状通路内に導入するように形成したことを特徴とする請求項１又は２記載の遊戯装置。
【発明の詳細な説明】
【０００１】
【産業上の利用分野】
この発明は、全体又は一部を筒体状通路に形成した通路に水を流して滑るか、又は流れる水に浮かべた浮体に乗って遊ぶ流水式滑り台の遊戯装置や、前記通路の乾いた滑り面を滑り降りて遊ぶ乾式滑り台の遊戯装置、あるいは、前記通路をカートに乗って遊ぶ走行装置等の遊戯装置に関するものである。
【０００２】
【従来の技術】
従来の全体又は一部を筒体状通路に形成した通路を通って遊ぶ遊戯装置は、その筒体状通路部では内部が薄暗く遊戯者の視覚に余り良い印象を与えなかったり、比較的明るくしたものでも遊戯者の視覚に平面的に映りレジャー性が不十分であった。
【０００３】
そこで、これらの遊戯装置に替えて、筒体内で立体的な画像を現出させマイルドでファンタスティックなムードを体験でき、現代的なレジャー性や楽しさを味わうようにした筒体内を通る遊戯装置として、本願出願人が出願した、特願平５−２３７１３１号がある。
【０００４】
この従来の発明は、筒体の内壁面に蛍光体を用いて立体的な発光像が得られる如く描記した絵画と、その絵画に紫外線を照射する照明器を設置した遊戯装置において、前記照明器、又は絵画の前に煙を放出する発煙装置を設置したものである。また、煙に上記紫外線を受けて発光する蛍光剤を含ませたものである。
【０００５】
【発明が解決しようとする課題】
前記した特願平５−２３７１３１号の発明の筒体内を通る遊戯装置は、筒体の内壁面に描記した絵画が、紫外線照射によって明度差のある画像となって発光し、立体的な発光像が得られ、装置の遊戯性を向上させて、さらにこの立体的な発光像に対し、煙のフィルターを利用して刻々と変化する多様な発光像を現出させ、動的で立体的かつ幻想的で変化性に富ませ、また遊戯者自身が煙につつまれた発光像の中を通過できるといったレジャー性や楽しさを一層増大させたものである。
【０００６】
しかし、この従来の発明の筒体内を通る遊戯装置は、照明器や発煙装置が余り大きくないために照明器と発煙装置を通行の障害とならないように設置する配慮や、光を照射する方向が決まっているために発散光を二方向に同時に照射して遊戯利用する配慮や、光の模様を通路空間や筒体状壁面で変化させて遊戯性を高める配慮や、暗い限られた通路内スペースを有効利用する配慮があまり充分ではなかった。
【０００７】
この発明はこれらの課題に鑑みてなされたもので、筒体状通路の適所に発光装置や発煙装置等を設置し、一つの発光装置からの一方向の発散光を通路内所定の二方向の発散光に発散し、通路空間及び筒体状壁面の二方向同時に同じ模様の光線を照射して相乗効果を演出するものである。また、暗い通路内を有効に利用して、発光装置と発煙装置を適当な位置に配置してレジャー性を高めた遊戯装置を提供するものである。
【０００８】
【課題を解決するための手段】
この発明の遊戯装置は、筒体状通路を滑降又はカートで走行する遊戯装置において、一方向に向けて発散光を発散する発光装置を前記筒体状通路の外側に設置し、該発光装置からの発散光を前記筒体状通路内に導入する投入口を該筒体状通路の上部に形成し、上記発光装置からの発散光を受けて、上記筒体状通路内における遊戯者の進入方向と進出方向のいずれか一方の所定方向に向けて発散させる反射光とそのまま透過させる透過光とに分散させるフィルターを上記投入口の近傍に配置する。
【０００９】
そして、上記遊戯者の進入方向と進出方向のいずれか一方向に発散した上記フィルターの反射光に対して対称方向となるように、上記遊戯者の進入方向と進出方向のいずれか他方の方向に向けて、上記フィルターの透過光を反射させるミラーを上記フィルターの後方に設ける。
【００１０】
また、上記発光装置に模様付フィルターを設け、上記筒体状通路内の内壁面に反射光と透過光の二方向の光の模様を投影するように形成する。
【００１１】
さらにまた、上記反射光と透過光の二方向の光を受ける煙を筒体状通路内に導入するように形成する。
【００１２】
なお、上記筒体状通路にループ部を設けた場合には、光と煙による演出によって、さらに変化性と遊戯性を向上させることが可能となる。
【００１３】
【作用】
この発明の遊戯装置は、全体又は一部を筒体状通路で形成した通路を滑降又はカートで走行する遊戯装置において、一方向に向けて発散光を放射状に発散する発光装置を前記筒体状通路の外側に設置し、該発光装置からの発散光を前記筒体状通路内に導入する投入口を該筒体状通路の上部に形成するとともに、該投入口の近傍に発光装置からの発散光が前記筒体状通路内で反射光と透過光の二方向の発散光に分散させるフィルターを設置したので、一つの発光装置と一つの投入口を用いて限られた筒体スペースを有効に利用して効率良く筒体状通路内に投光する。
【００１４】
フィルターは一部の発散光を反射し一部の発散光を透過して分散するので、一つの光源のみを用いて発光される発散光を二方向に効率良く照射できる。この分散された二方向の発散光は、通過する遊戯者に対して前後の空間、左右の壁面、又は前方と後方のいずれか一方の空間に同時に同じ模様の光線を照射するので幻想的な意外性を感じさせる。
【００１５】
発光装置は通路内に突出せず通行する遊戯者に頭上を接触する心配を起こさせず、通路内を広く使用でき、通路内の見通しを良くする。発光装置からの発散光は、投入口から導入されるので、壁面近傍から広範囲に照射できる。また、発光装置を通路外側から取付けることができ取付作業が容易である他、メンテナンス調整等が容易である。発光装置は遊戯者の通行を阻害することなく取付けられる。通路内に発光装置の音や熱が入って通行する遊戯者に不快感を与えることがない。また、逆に通路内の湿気やホコリ等も発光装置にかからず、光学機器の耐久性に支障を生じることがない。
【００１６】
また、上記筒体状通路内における遊戯者の進入方向と進出方向のいずれか一方の所定方向に向けて反射光を発散させるフィルターを配置し、該フィルターの透過光をフィルターの反射光に対して対称方向に反射させるミラーを設けたので、フィルターで反射された一方の反射光は遊戯者の進入方向に発散させて遊戯者の前方から照射して圧迫感を与え、フィルターを透過してミラーで反射した他方の透過光は、遊戯者の進出方向に発散させて遊戯者の背後から照射して解放感を与える。この際に通過する遊戯者は一層のスピード感と洞窟を通り抜ける等の臨場感を体験する。また、フィルターの透過光はミラーを設けたことによってフィルターの反射光に対して一層正確に効率良く相対称方向に分けることができる。フィルターとミラーは、軽く小さくて通路内に余り突出しないように簡単に設置できる。
【００１７】
また、上記筒体状通路内の内壁面に反射光と透過光の二方向の光の模様を投影する模様付フィルターを上記発光装置に設けたので、様々な模様が曲率をもった内壁面に入射角度を変えて当たり、より一層の変化をもって視覚される。また、遊戯者の位置や通過速度によっても投影される模様が変化して視覚される。また、暗い中に投影される模様に囲まれ、実際の速度以上に吸い込まれたり落ち込む感覚を生じさせる
ことができる。
【００１８】
さらにまた、上記筒体状通路内に反射光と透過光の二方向の光を受ける煙を通路内に導入するので、通路内に漂う煙に遊戯者の進入方向と進出方向の両対称方向から発散光を受けて一層奥行のあるゾーン内の通過を体験させる。また煙に様々な発散光の模様が照射されてこの遮られて見えるスクリーンを突き破って進む感じが得られる。煙は通路内に濃淡状態で漂ったり、消失したり、遊戯者の通過によって刻々と変化し一層の変化を生じる。煙は遊戯者の通行する位置に効率良く発生させ漂わせることができる。
【００１９】
なお、上記筒体状通路にループ部を設けた場合には、通路内を短い距離で効率良く暗くすることができる。発散光が所定範囲に効率良く伝わり、その所定範囲で発散光と模様と煙の演出が効率良くできる。ループ部の壁面が遊戯者の進行方向の視野正面に当たるので、発散光と模様を照射するスクリーンとして効率良く使用できる。また煙が一方向に単調に流出することがなく、ループ部内に煙の濃度を高く保ち、かつ適当な長い時間漂わせ維持できるので煙のロス防止や有効利用が図れる。
【００２０】
【実施例】
図面に基づいて、実施例を説明する。
図１、図２、図３及び図４は、この発明に係る遊戯装置の実施例を示す。
これらの実施例の図１において、１は全体又は一部を断面円形等に形成した筒体状通路で、２は一方向に向けて光を放射状に発散する発光装置である。該発光装置２は、筒体状通路１の外側に外部の光が通路１内に入らないように遮蔽カバー２１を設けてその遮蔽カバー２１の内部に設置する。該発光装置２から一方向に向けて発散する発散光９を筒体状通路１内に導入する投入口５を筒体状通路１の上部の側部又は天井部に開口又は窓等を設けて形成するとともに、該投入口５から導入した発散光９を筒体状通路１内で反射光９ｘと透過光９ｙの二方向の発散光９に分散させるフィルター３を投入口５の近傍に設置する。
【００２１】
フィルター３は、例えばダイクロイックフィルター３Ａ、ダイクロイックポラライザー等を用いる。ダイクロイックフィルター３Ａを用いた場合には、一つの光源から発散された発散光はダイクロイックフィルター３Ａで波長によって選択透過されるため、反射光９ｘと透過光９ｙが一つの光源から美しく変色分散されて前後の空間、左右の壁面、又は前方と後方のいずれか一方の空間に同時に同じ模様の光線を照射するので、通過する遊戯者に幻想的な意外性を感じさせる。
【００２２】
図１に示した実施例では、遊戯者７は動力を持たないで重力で走行するカート８に乗って筒体状通路１の中を通行するように形成しているが、本発明ではこの実施例に限定されるものではなく、乾いた滑り面を滑降する遊戯装置や水を流した滑り面を流水に乗って滑降する遊戯装置等、要は全体又は一部を筒体状に形成した通路を遊戯者が様々な態様で楽しみながら通過できる遊戯装置の構造であればよい。
【００２３】
発光装置２から一方向に向けて発散された発散光９は、直接投入口５から導入するか、または図示のようにミラー４Ａを設けて該ミラー４Ａを介して方向を変えて投入口５から筒体状通路１内へと導入する。前記発光装置２の一つの光源から発散されて導入された発散光９は、投入口５の近傍に設置したダイクロイックフィルター３Ａによって二方向に発散される。ダイクロイックフィルター３Ａの反射光９ｘは遊戯者７の進入方向、又は進出方向のいずれか一方の方向に向けて照射し、ダイクロイックフィルター３Ａを透過した透過光９ｙはダイクロイックフィルター３Ａの後部に設けたミラー４によってダイクロイックフィルター３Ａの反射光９ｘに対して所定の対称方向に正確に向けて反射させるように形成する。図示例では、ダイクロイックフィルター３Ａの反射光９ｘを遊戯者７の進入方向に、透過光９ｙをミラー４で反射して遊戯者７の進出方向にそれぞれ向けて照射している場合を示している。
【００２４】
上記ダイクロイックフィルター３Ａによる反射光９ｘは、遊戯者７の進入方向に向けて照射し前方から当てて圧迫感を与え、ダイクロイックフィルター３Ａを透過しミラー４で反射した透過光９ｙは、遊戯者７の進出方向に向けて照射し背後から当てて開放感を与えるため、通行する遊戯者７はこの双方の発散光９を通過に従って連続して受けて一層のスピード感と、洞窟内を通り抜ける等の臨場感を体験できる。
【００２５】
発光装置２は筒体状通路１の外側に設置するとともに、ダイクロイックフィルター３Ａとミラー４は軽く小さくて通路内に余り突出しないように開口又は窓等に形成した投入口５の近傍に設けたので、限られた筒体内スペースに向けて効率良く投光することができる。また、遊戯者に頭上を接触する心配を起こさせたり通行の支障となることはなく、通路内は広く使用でき、通路内の見通しが良くなる。発光装置２及び付随する機器等は、通路の外部から設置やメンテナンス等の調整が容易にできる。また、通路内に発光装置２の音や熱が入って遊戯者７の通行に不快感を与えることがない。また、通路内の湿気やホコリ等が発光装置２にかかって光学機器類の耐久性に支障を生じることがない。
【００２６】
また、上記発光装置２に模様付フィルター６を設けて、筒体状通路２内の内壁面に発散光９の変形模様を投影する。筒体状通路２の内壁面は曲率をもちこの壁面に発散光９の入射角度が変化して当たるので、投影される発散光９の模様はより一層の変化をもって視覚され、また遊戯者の位置や通過速度によっても投影される模様が変化して視覚される。この模様付フィルター６は種々の光線束模様を発散するフィルターを連続的に切り替えて使用したり、自体を回転変化させて使用する。また、暗い中に投影される模様に囲まれ、速度以上に吸い込まれたり落ち込んだり開放される等の感覚を生じさせる。
【００２７】
図２は通路内に煙を放出している状態を示す説明図で、筒体状通路１内の通行を阻害しない位置の筒体状通路１内壁面に煙１４を導入する噴出口１１を設ける。煙１４を発生させる発煙装置１０は筒体状通路１の外部に設け、該発煙装置１０を用いて発煙剤１３から煙１４を製造して導管１２を通って噴出口１１に送る。該噴出口１１の設置箇所は、通路内に適度に漂うように、煙１４が軽い場合には通路壁面の下部に設け、煙１４が重い場合には通路壁面の上部に設けるよう適宜選択する。
【００２８】
発煙剤１３は人体や環境に害のない液体、例えばプロピレングリコールを主成分とする水溶液を使用する。このプロピレングリコールを主成分とする液体から作られた煙１４は、湿り気が少ないため遊戯者が濡れることがなく、また液体自体に臭いが少ない上に少量の香料を添加しているため、遊戯者に不快感を与えることがない。また、微細な白色の粒子を所定時間空間に漂わせて発散光９の模様をはっきり効果的に投影することができる。また、通路の乾湿等の条件や遊戯状況に応じて、経済的な水や蒸気、涼風を生じる凝結炭酸、香りや色を含んだ固体微粒子等を用いて煙１４を効率良く発生させるようにしても良い。
【００２９】
図３は、上記煙１４に前記図１で詳述した発光装置２から発散した発散光９をダイクロイックフィルター３Ａとミラー４で、進入方向の反射光９ｘと進出方向の透過光９ｙに分散して照射している状態を示す。遊戯者は通路内に漂う進入方向の煙１４ｘに投影した反射光９ｘの模様が正面に迫り来る感じと、進出方向の煙１４ｙに投影した透過光９ｙの模様が背後へ突き抜ける感じの両方を、通行に従って体験することができる。煙１４は通路内に濃淡漂ったり、消失したり刻々と変化して、発散光９の投影する模様に一層の変化を生じさせる。
【００３０】
また、発光装置２に色付きフィルターを取り付けることによって様々な有色の発散光９を発生させて、前記した光の模様と複合して通路内壁面や煙１４に色彩の変化を与え美的で幻想的な空間を演出して、遊戯性を一層向上させることができる。
【００３１】
図４は上記筒体状通路１をループ部１５に形成したものである。該ループ部１５は、開渠状通路１６の途中に設けた場合を示している。該ループ部１５の内部は、ループ入口１７及びループ出口１８から外部の光が進入しにくいため、筒体状の通路内を短い距離で効率良く暗くすることができる。また、その所定範囲の限られたスペース内で発散光９の模様と煙１４の演出が効率良くできる。ループ部１５の壁面が遊戯者の進行方向の視野正面に当たるので、発散光９と模様を照射するスクリーンとして効率良く使用できる。また煙１４が一方向や部分的に単調に流出したり濃度が薄くなることがなく、ループ部１５内の所定範囲に適当な濃度で長い時間漂わせ維持できるので煙１４のロス防止と有効利用が図れる。
【００３２】
図の実施例ではループ部１５の所定範囲内に二個の発光装置２Ａ，２Ｂを隔接して設け、その間に一個の発煙装置１０からの煙１４の噴出口１１を一個設けた場合を示したが、発光装置２、発煙装置１０及び噴出口１１は一個又は複数個それぞれ適宜設けてもよい。ループ部１５の入口１７側では発光装置２Ａからの反射光９Ａｘは煙１４が殆どない状態で照射され、次にループ部１５の中央内部では濃い煙１４に発光装置２Ａからの透過光９Ａｙと発光装置２Ｂからの反射光９Ｂｘが照射され、さらにループ部１５の出口１８側では流下し残留した煙１４に発光装置２Ｂからの透過光９Ｂｙが照射される。遊戯者はこの煙１４の濃淡や発散光９の照射角度や投影される模様の変化に富んだ幻想的なループ部１５内を通行する。
【００３３】
また、ループ部１５の入口１７には遊戯者の通過を検出するセンサー１９を設けて、このセンサー１９からの遊戯者の通過信号を制御器２０に受けて、該制御器２０で発煙装置１０からの煙１４の発生時期を調整制御する。この煙１４の制御によって、煙１４の濃度や演出効果を調整するとともに、経済性も向上させる。また、同様にセンサー１９等により、発光装置２Ａ，２Ｂの発散光９Ａ，９Ｂの照射時期等を調整制御するように形成してもよい。
【００３４】
【発明の効果】
この発明の遊戯装置は、筒体状通路を滑降又はカートで走行する遊戯装置において、一方向に向けて発散光を発散する発光装置を前記筒体状通路の外側に設置し、該発光装置からの発散光を前記筒体状通路内に導入する投入口を該筒体状通路の上部に形成し、上記発光装置からの発散光を受けて、上記筒体状通路内における遊戯者の進入方向と進出方向のいずれか一方の所定方向に向けて発散させる反射光とそのまま透過させる透過光とに分散させるフィルターを上記投入口の近傍に配置するので、一つの発光装置と投入口から導入された発散光を限られた筒体内スペースの二方向に向けて効率良く投光する遊戯装置が提供できる。また、この遊戯装置は通過する遊戯者に二方向同時に照射される分散光で幻想的な意外性を与え遊戯性を高めることができる。
【００３５】
そして、上記遊戯者の進入方向と進出方向のいずれか一方向に発散した上記フィルターの反射光に対して対称方向となるように、上記遊戯者の進入方向と進出方向のいずれか他方の方向に向けて、上記フィルターの透過光を反射させるミラーを上記フィルターの後方に設けるので、通行する遊戯者は正面の発散光と背後の発散光をそれぞれ通行に従って受けて、一層のスピード感と洞窟を通り抜ける等の臨場感を体験して遊戯性が向上する。また、フィルターの透過光をミラーで反射して所定の方向に一層正確に効率よく照射することができるので、遊戯者に対する圧迫感と開放感を一層高めて遊戯性をより増大することができる。
【００３６】
また、上記発光装置に模様付フィルターを設け、上記筒体状通路内の内壁面に反射光と透過光の二方向の光の模様を投影するように形成したので、模様付フィルターを反射した光の模様と模様付フィルターを透過した光の模様とが、曲率をもった内壁面に入射角度が変化して当たるため、様々な変形模様が投影されてより一層の変化と遊戯性を与えることができる。
【００３７】
さらにまた、上記反射光と透過光の二方向の光を受ける煙を筒体状通路内に導入するように形成したので、通路内に漂う煙に遊戯者の進入方向と進出方向の両方向から発散光を受けてゾーン内を通過して一層変化のある遊戯空間を体験することができる。」
【００３８】
なお、上記筒体状通路にループ部を設けた場合には、通路内を短い距離で効率良く暗くしてその所定範囲で発散光の模様と煙の演出が効率良くでき、一層変化のある楽しい遊戯空間を作ることができる。
【図面の簡単な説明】
【図１】  この発明に係る遊戯装置の一部を欠除した側断面説明図である。
【図２】  筒体状通路内に煙を放出している状態を示す説明図である。
【図３】  この発明に係る遊戯装置の他の実施例を示す一部を欠除した側断面説明図である。
【図４】  この発明に係る遊戯装置の筒体状通路をループ部とした実施例を示す一部を欠除した説明図である。
【符号の説明】
１    筒体状通路
２，２Ａ，２Ｂ  発光装置
３    フィルター
３Ａ  ダイクロイックフィルター
４，４Ａ  ミラー
５    投入口
６    模様付フィルター
７    遊戯者
８    カート
９，９Ａ，９Ｂ    発散光
９ｘ，９Ａｘ，９Ｂｘ    反射光
９ｙ，９Ａｙ，９Ｂｙ    透過光
１０  発煙装置
１１  噴出口
１２  導管
１３  発煙剤
１４，１４ｘ，１４ｙ  煙
１５  ループ部
１６  開渠状通路
１７  ループ入口
１８  ループ出口
１９  センサー
２０  制御器
２１  遮蔽カバー
【図１】
0003743014.tif 000002
【図２】
0003743014.tif 000003
【図３】
0003743014.tif 000004
【図４】
0003743014.tif 000005